(57)【要約】【課題】交換部材の搬入作業を容易にすると共に、交換作業に従事する作業員の労働負荷を軽減する、移動電極式電気集塵装置および移動電極式電気集塵装置の部材搬入方法を提供する。【解決手段】移動電極式電気集塵装置のケーシングと、上記ケーシング内の集塵域となるガス流路に吊り下げられる多数の放電極と、一対の無端チェーンに懸垂された複数枚の集塵極板によってループを形成して上記放電極を周回し、上記周回する集塵極板を所定位置でブラッシングする掻き落し手段を有する多数の移動電極を備え、上記ケーシング外側の上記移動電極の下方位置に設けられ、上記移動電極の構成部材を仮配置する搬入用ステージと、上記搬入用ステージ近傍の上記ケーシングの壁に設けられ、上記移動電極の構成部材を上記搬入用ステージからケーシング内に通過させる搬入用マンホールを備えた。【選択図】図４
2010064023.tif 000002
【特許請求の範囲】
【請求項１】
ガスの入口から出口に向って含塵ガスを流すケーシングと、上記ケーシング内の集塵域となるガス流路に吊り下げられる多数の放電極と、一対の無端チェーンに懸垂された複数枚の集塵極板によってループを形成して上記放電極を周回し、上記周回する集塵極板を所定位置でブラッシングする掻き落し手段を有する多数の移動電極を備えた移動電極式電気集塵装置において、
上記ケーシング外側の上記移動電極の下方位置に設けられ、上記移動電極の構成部材を仮配置する搬入用ステージと、
上記搬入用ステージ近傍の上記ケーシングの壁に設けられ、上記移動電極の構成部材を上記搬入用ステージからケーシング内に通過させる搬入用マンホールを備えたことを特徴とする移動電極式電気集塵装置。
【請求項２】
請求項１記載の移動電極式電気集塵装置において、
上記マンホールは、上記移動電極の構成部材をその使用状態と同じ方向で上記搬入用ステージからケーシング内に通過させる搬入用マンホールであることを特徴とする移動電極式電気集塵装置。
【請求項３】
請求項１または２に記載の移動電極式電気集塵装置において、上記移動電極は上記ケーシング内の集塵域と非集塵域にわたるようにガス流路の断面に沿って配置され、上記搬入用ステージと搬入用マンホールは上記移動電極近傍の非集塵域のケーシングに設けられたことを特徴とする移動電極式電気集塵装置。
【請求項４】
請求項１〜３のいずれかに記載の移動電極式電気集塵装置において、上記集塵極板は使用状態で幅方向がガス流路に沿うように無端チェーンに懸垂され、搬入時に上記集塵極板はその幅方向に上記搬入用マンホールからケーシング内に搬入されることを特徴とする移動電極式電気集塵装置。
【請求項５】
請求項１〜４のいずれかに記載の移動電極式電気集塵装置において、使用状態で上記集塵極板は幅方向がガス流路に沿うように無端チェーンに懸垂されるとともに、上記掻き落し手段は長手方向が上記集塵極板の幅方向に沿って配置され、搬入時に上記掻き落し手段はその長手方向に上記搬入用マンホールからケーシング内に搬入されることを特徴とする移動電極式電気集塵装置。
【請求項６】
請求項１〜５のいずれかに記載の移動電極式電気集塵装置において、上記搬入用ステージと搬入用マンホールは、上記各移動電極に対応してケーシングに複数設けられたことを特徴とする移動電極式電気集塵装置。
【請求項７】
ガスの入口から出口に向って含塵ガスを流すケーシングと、上記ケーシング内の集塵域となるガス流路に吊り下げられる多数の放電極と、一対の無端チェーンに懸垂された複数枚の集塵極板によってループを形成して上記放電極を周回し、上記周回する集塵極板を所定位置でブラッシングする掻き落し手段を有する多数の移動電極を備えた移動電極式電気集塵装置内に部材を搬入する部材搬入方法において、
上記ケーシング外側の上記移動電極の下方位置に設けられた搬入用ステージに上記移動電極の構成部材を仮配置し、
上記搬入用ステージ近傍の上記ケーシングの壁に設けられた搬入用マンホールから、上記部材をその使用状態と同じ方向で上記ケーシング内に通過させることを特徴とする移動電極式電気集塵装置の部材搬入方法。
【請求項８】
請求項７に記載の移動電極式電気集塵装置の部材搬入方法において、上記移動電極は上記ケーシング内の集塵域と非集塵域にわたってガス流路の断面に沿って配置され、上記搬入用マンホールから、上記部材を上記移動電極の非集塵域に搬入することを特徴とする移動電極式電気集塵装置の部材搬入方法。
【請求項９】
請求項７または８に記載の移動電極式電気集塵装置の部材搬入方法において、上記集塵極板は使用状態で幅方向がガス流路に沿うように無端チェーンに懸垂され、搬入時にその幅方向に上記搬入用マンホールからケーシング内に搬入されることを特徴とする移動電極式電気集塵装置の部材搬入方法。
【請求項１０】
請求項７〜９のいずれかに記載の移動電極式電気集塵装置の部材搬入方法において、使用状態で上記集塵極板は幅方向がガス流路に沿うように無端チェーンに懸垂されるとともに、上記掻き落し手段は長手方向が上記集塵極板の幅方向に沿って配置され、搬入時に上記掻き落し手段はその長手方向に上記搬入用マンホールからケーシング内に搬入されることを特徴とする移動電極式電気集塵装置の部材搬入方法。
【発明の詳細な説明】
【技術分野】
【０００１】
本発明は電力、産業用排煙設備に用いる乾式電気集塵装置への交換部材の搬入に係り、特に集塵電極に移動電極を用いる移動電極式電気集塵装置およびその部材搬入方法に関する。
【背景技術】
【０００２】
一般の移動電極式電気集塵装置の構造の概要を図１に示す。電気集塵装置１には、ガス入口２ａとガス出口２ｂの間にガス流路が形成されたケーシング２の内部に、集塵用の電極として複数の固定電極３と移動電極４が設置されている。各電極の下部には電極で捕集した塵埃を落下回収するためのホッパ６と、回収した塵埃を排出するための排出コンベヤ７が設けられている。また、ホッパ６には搬出コンベア７を閉塞させる粗大物が混入しないためと、内部作業時の足場に利用するためのホッパーグレーチング８が設けられている。
【０００３】
図２に電気集塵装置の移動電極の例を拡大して示す。移動電極は、短冊状に分割された集塵極板９をループをなす一対の無端チェーン１０に懸垂状態に連結し、集塵極板用モータ１１によりチェーン１０と共に極めて低速度に移動しながら、ガス流路となる集塵域１２でガス中に含まれた塵埃を捕集する。１６と１７はチェーン１０を掛け回す上部ホイールと下部ホイールである。集塵極板９に捕集された塵埃は、ガス流路の下方に位置する非集塵域１３に設置してある、回転ブラシ用モータ１４で回転する回転ブラシ１５によって掻き落される。
【０００４】
移動電極の構造を詳しく図３で説明する。図３は図２のＡ−Ａ線の断面を矢印方向からみた部分断面図である。ケーシング２内の集塵域１２となるガス流路に吊り下げられる多数の放電極５と、一対の無端チェーン１０に懸垂された複数枚の集塵極板９によってループを形成し、上記集塵極板９が上記放電極５を周回する複数の移動電極４と、上記周回する集塵極板９を所定位置でブラッシングする一対のブラシ手段１５を集塵極板９を挟んだ状態で各移動電極４毎に備える。上記移動電極４は、ループが集塵域１２と非集塵域１３にわたるように上下のホイール１６と１７に掛け回されて、ガス流路の断面（集塵域１２）に沿って複数（図３では３組）配置される。そして、非集塵域１３には上記ブラシ手段１５と下部ホイール１７が配置され、チェーン９が矢印方向に回転するのに対して上記一対のブラシ手段１５が矢印方向に回転することにより集塵極板９に捕集された塵埃が掻き落される。
【０００５】
上記構成の移動電極式電気集塵装置においては、所定期間稼動すると移動電極４の構成部材の可動部分に磨耗が生じるため、部材の交換が必要となる。具体的には上記移動電極４の構成部材である集塵極板９、チェーン１０、上部ホイール１６、下部ホイール１７及び、回転ブラシ１５が使用による交換基準に達すると、交換がなされる。
【０００６】
従来、この種の部材交換に際しては、搬入品は上部室１８に搬入し、交換作業を行うのが一般的である。図６に交換部材の搬入状況の例を示す。搬入品１９は、搬入用クレーン２０により集塵装置１の上部に揚重されて上部室１８に搬入され、作業員は、歩廊２１を利用して上部室１８に歩行移動し、装置の上方から交換作業がなされる。
【０００７】
特許文献１には新規の電気集塵装置でのクレーンを用いる組立工法が示され、移動電極のループをクレーンで吊り上げて集塵装置のケーシングの上部開口から搬入して組立てられ、作業員はケーシングの上部と下部に居て作業がなされる。また、特許文献２には移動電極用のチェーンを取替え方法が示され、交換すべき古いチェーンの一箇所を切り離し、この切り離した端部に新規チェーンの一端を接続し、これらのチェーンを周回移動させつつ集塵極板を順次新規チェーンに付け替えがなされる。
【０００８】
【特許文献１】特開２０００−３４２９９４号公報
【特許文献２】特開２０００−３４２９９５号公報
【発明の開示】
【発明が解決しようとする課題】
【０００９】
しかしながら、一般に電気集塵装置の高さは３０ｍ程度あり、上記した従来の部材交換や特許文献１では、搬入部材を揚重するための搬入用クレーンとして大型機材が必要となり、作業コストが高くなり、さらに、作業員が、歩廊等を利用して電気集塵装置の上部に歩行移動して交換作業に従事することになり、過酷な労働条件となる可能性がある。また、部材交換に際してはケーシングに搬入口は設けられるが、ケーシングの強度と搬入口開閉の操作上、むやみに大きな搬入口を設けることができず、小さ過ぎると部材搬入の作業能率が下がり、搬入後のケーシング内での方向転換等で交換作業全体の効率を下げる恐れがある。なお、特許文献２には、部材の搬入口に関する内容が明確に記載されてない。
【００１０】
上記従来の問題に鑑み、本発明は、交換部材の搬入作業を容易にすると共に、交換作業に従事する作業員の労働負荷を軽減する、移動電極式電気集塵装置および移動電極式電気集塵装置の部材搬入方法を提供することを目的とする。
【課題を解決するための手段】
【００１１】
上記課題を解決するため本発明は、ガスの入口から出口に向って含塵ガスを流すケーシングと、上記ケーシング内の集塵域となるガス流路に吊り下げられる多数の放電極と、一対の無端チェーンに懸垂された複数枚の集塵極板によってループを形成して上記放電極を周回し、上記周回する集塵極板を所定位置でブラッシングする掻き落し手段を有する多数の移動電極を備えた移動電極式電気集塵装置において、上記ケーシング外側の上記移動電極の下方位置に設けられ、上記移動電極の構成部材を仮配置する搬入用ステージと、上記搬入用ステージ近傍の上記ケーシングの壁に設けられ、上記移動電極の構成部材を上記搬入用ステージからケーシング内に通過させる搬入用マンホールを備えたことを特徴とする。
【００１２】
また本発明は、上記マンホールは、上記移動電極の構成部材をその使用状態と同じ方向で上記搬入用ステージからケーシング内に通過させる搬入用マンホールであることを特徴とする。
【００１３】
また本発明は、上記移動電極は上記ケーシング内の集塵域と非集塵域にわたるようにガス流路の断面に沿って配置され、上記搬入用ステージと搬入用マンホールは上記移動電極近傍の非集塵域のケーシングに設けられたことを特徴とする。
【００１４】
また本発明は、上記集塵極板は使用状態で幅方向がガス流路に沿うように無端チェーンに懸垂され、搬入時に上記集塵極板はその幅方向に上記搬入用マンホールからケーシング内に搬入されることを特徴とする。
【００１５】
また本発明は、使用状態で上記集塵極板は幅方向がガス流路に沿うように無端チェーンに懸垂されるとともに、上記掻き落し手段は長手方向が上記集塵極板の幅方向に沿って配置され、搬入時に上記掻き落し手段はその長手方向に上記搬入用マンホールからケーシング内に搬入されることを特徴とする。
【００１６】
また本発明は、上記搬入用ステージと搬入用マンホールは、上記各移動電極に対応してケーシングに複数設けられたことを特徴とする。
【００１７】
また本発明は、ガスの入口から出口に向って含塵ガスを流すケーシングと、上記ケーシング内の集塵域となるガス流路に吊り下げられる多数の放電極と、一対の無端チェーンに懸垂された複数枚の集塵極板によってループを形成して上記放電極を周回し、上記周回する集塵極板を所定位置でブラッシングする掻き落し手段を有する多数の移動電極を備えた移動電極式電気集塵装置内に部材を搬入する部材搬入方法において、上記ケーシング外側の上記移動電極の下方位置に設けられた搬入用ステージに上記移動電極の構成部材を仮配置し、上記搬入用ステージ近傍の上記ケーシングの壁に設けられた搬入用マンホールから、上記部材をその使用状態と同じ方向で上記ケーシング内に通過させることを特徴とする。
【００１８】
また本発明は、上記移動電極は上記ケーシング内の集塵域と非集塵域にわたってガス流路の断面に沿って配置され、上記搬入用マンホールから、上記部材を上記移動電極の非集塵域に搬入することを特徴とする。
【発明の効果】
【００１９】
上記本発明によれば、搬入用クレーンとして大型機材が不要となり、移動電極式電気集塵装置のケーシングの搬入口からの部材の搬入効率を向上させるとともに、搬入後の部材の移動、取り付けの効率を向上させることができ、また作業者の作業環境を向上させることができる。
【発明を実施するための最良の形態】
【００２０】
図３、図４、図５に本発明実施例の構成を示す。各図において前述の図と同一部分は同一符号で示す。
【００２１】
図４において、２ｃは、移動電極４の下方近傍に位置するケーシング２の縦壁であり、横方向のガス流れ（ガス流路）に対して交差する縦（垂直）方向のケーシング部分であって、ケーシング２の傾斜壁から下方に縦向きにホッパー６方向に伸びて形成される。２２は、移動電極４の下方位置の上記縦壁２ｃの下端（ホッパー６の上端）から横に突出させて設けた搬入用ステージで、部品交換時の搬入に際し、移動電極４の構成部材である集塵極板９、回転ブラシ（ダストの掻き落し手段）１５、チェーン１０などの大形の部材を仮配置し、図４では例えば、回転ブラシを符号１５ａで示すように仮配置している。
【００２２】
２３は、上記搬入用ステージ２２に近接して、上記縦壁２ｃに開けた搬入用マンホールで、装置の使用時は蓋（図示せず）で閉じられてケーシング内部のガスが外部に漏れるのが防止される。
【００２３】
搬入用マンホール２３は、部材交換時に上記蓋が開けられ、上記搬入用ステージ２２に仮配置された部材をその使用状態と同じ方向で、搬入用ステージ２２からケーシング２内に通過させる。図４では、例えば、回転ブラシは符号１５で示すように回転軸方向（長手方向）が、使用状態でガス流れ方向（ガス流路方向）に沿って水平方向（横方向）であるが、搬入の際は搬入用ステージ２２上の回転ブラシ１５ａをその使用状態と同じ水平方向、すなわち矢印（図で左向き）で示す回転軸方向（長手方向）に移動させ、符号１５ｂで示すように搬入用マンホール２３を通過させる。そして、ケーシング２内部で搬入された回転ブラシは、符号１５ｂで示す位置から方向を変えることなくそのままの姿勢で符号１５で示す交換位置に運ばれて、取り付けられる。ここでは、回転ブラシ１５の軸方向が集塵極板１０の幅方向に沿って取付けられている。
【００２４】
また、集塵極板９は使用状態で、その幅方向がガス流れ方向（ガス流路方向）に沿った水平方向（横方向）であり、搬入の際は幅方向（水平方向）に沿って搬入用マンホール２３を通過させる。そして、ケーシング２内部で搬入された集塵極板９は、方向を変えることなくそのままの姿勢で交換位置に運ばれて、チェーン１０に取り付けられる（図示せず）。
【００２５】
上記のように、横方向のガス流れに対して横（垂直）方向に搬入用マンホール２３を設けることにより、移動電極４の構成部材を使用状態と同じ方向で搬入用マンホール２３を通過させることができ、ケーシング内部では搬入後の部材を方向転換することなく所定位置に取り付けることができ、ケーシング２内部での搬入や作業の効率が良くなり、また、スペースが小さくて済む。
【００２６】
また、図３、図４に示すように、上記移動電極４は上記ケーシング２内の集塵域１２と非集塵域１３のわたるようにガス流路の断面に沿って複数組配置され、上記搬入用ステージ２２と搬入用マンホール２３は、上記移動電極４の近傍の非集塵域１３のケーシング２の縦壁２ｃに設けられている。ケーシング２内の非集塵域１３は、集塵電極板９に捕集された塵埃（ダスト）を回転ブラシ１５で掻き落す領域で、部材として放電極５が無いため、部材の交換領域として適している。すなわち、移動電極４のチェーン１０への取付けや、回転ブラシ１５の所定位置の取り付け作業が効率良くできる。
【００２７】
また、作業に従事する作業員は、搬入用ステージ２２、ホッパーグレーチング８により安定した足場を得ることができ、交換作業の負荷を軽減することが可能となる。
【００２８】
図５は本実施例における交換部材搬入状況の説明図である。交換用部材の搬入品１９は搬入用クレーン２０により搬入用ステージ２２に揚重、仮配置される。さらに搬入用マンホール２３から電気集塵機１のケーシング２内部に搬入される。このとき、集塵極板９は幅方向、回転ブラシ１５は軸方向（長手方向）に搬入されることとなり、使用状況と同じ方向で搬入され、内部での方向転換などの付帯作業は不要となる。
【００２９】
なお、ダストの掻き落し手段として回転ブラシ１５の他、固定式のブラシ（図示せず）を用いる場合も同様な効果を有する。すなわち、固定式のブラシを使用状況と同じ、長手方向に搬入することにより、内部での方向転換などの付帯作業は不要となる。
【００３０】
また、作業員は、歩廊２１を利用して最下部のケーシング２の側面に設けられたマンホール２４に移動し、交換作業に従事する。
【００３１】
ここで、電気集塵装置１の高さは前述したように３０ｍ程度であるが、搬入用ステージ２２、搬入用マンホール２３、および最下部の作業者用の作業用マンホール２４までの高さは、ホッパー６の高さである１５ｍ程度となるため、搬入品１９を揚重するための搬入用クレーン２０は大型の機材である必要はないので、作業コストが安くて済む。さらに、交換作業に従事する作業員は、歩廊２１を利用し、搬入用ステージ２２、搬入用マンホール２３、および最下部の作業者用マンホール２４まで移動するので搬入、交換作業の労働条件を軽減できる。このように、横方向のガス流れに対して縦（垂直）方向のケーシング部分に搬入用ステージ２２、および搬入用マンホール２３を設置することにより、搬入、交換作業を軽減することが可能となる。
【００３２】
搬入用マンホール２３は、各移動電極に対応して複数設けられる。すなわち、図３に示すように、上記移動電極４は上記ケーシング２内の集塵域１２と非集塵域１３にわたるようにガス流路の断面に沿って複数組配置されるが、各移動電極４の非集塵域１３のケーシングの縦壁２ｃの破線で囲んで示す位置に、搬入用マンホール２３が設けられる。この場合、搬入用ステージ２２は、各搬入用マンホール２３に対応して個別に複数設けるか、共通のものが設けられる。上記のように構成することにより、部材の交換作業がどの移動電極４についても効率よく行われ、作業環境も軽減することができる。
【図面の簡単な説明】
【００３３】
【図１】移動電極式電気集塵装置の構造の概要を示す図である。
【図２】移動電極式電気集塵装置の移動電極の拡大図である。
【図３】図２のＡ−Ａ線の断面を矢印方向からみた部分断面図である。
【図４】本発明実施例の要部構造の拡大図である。
【図５】本発明実施例の交換部材搬入状況の説明図である。
【図６】従来移動電極式電気集塵装置の交換部材搬入状況の説明図である。
【符号の説明】
【００３４】
１…移動電極式電気集塵装置、２…ケーシング、３…固定電極、４…移動電極、５…放電極、６…ホッパ、７…排出コンベヤ、８…ホッパーグレーチング、９…集塵極板、１０…チェーン、１１…集塵極駆動用モータ、１２…集塵域、１３…非集塵域、１４…回転ブラシ用モータ、１５…回転ブラシ（掻き落し手段）、１６…上部ホイール、１７…下部ホイール、１８…上部室、１９…搬入品、２０…搬入用クレーン、２１…歩廊、２２…搬入用ステージ、２３…搬入用マンホール、２４…マンホール。
【図１】
2010064023.tif 000003
【図２】
2010064023.tif 000004
【図３】
2010064023.tif 000005
【図４】
2010064023.tif 000006
【図５】
2010064023.tif 000007
【図６】
2010064023.tif 000008